(57)【要約】【課題】すでに内線網の網内通信に対応済みの電話システムを、低コストで網間通信にも対応させること。【解決手段】電話システムのＩＳＤＮ−ＧＷ１１は、主装置２−１０に収容される電話端末７−１１から主装置２−２０に収容される電話端末７−２１への発信信号を受信し、ＧＷテーブル１１ａを参照して、発信信号の発番号である電話端末７−１１の外線番号から内線番号に変換し、ＧＷテーブル１１ａを参照して、発信信号の着番号である電話端末７−２１の内線番号から外線番号に変換し、発番号および着番号がそれぞれ変換された発信信号を、電話端末７−２１の収容先である主装置２−２０に転送する。【選択図】図１
2016086361.tif 000002
【特許請求の範囲】
【請求項１】
複数の主装置と接続されており、各前記主装置に収容される電話端末の内線番号と外線番号との対応情報を内線用テーブルに管理する内線用ゲートウェイを含めて構成され、
前記内線用ゲートウェイは、
第１主装置に収容される第１電話端末から第２主装置に収容される第２電話端末への第１発信信号を受信し、
前記内線用テーブルを参照して、前記第１発信信号の発番号である前記第１電話端末の外線番号から内線番号に変換し、
前記内線用テーブルを参照して、前記第１発信信号の着番号である前記第２電話端末の内線番号から外線番号に変換し、
発番号および着番号がそれぞれ変換された前記第１発信信号を、前記第２電話端末の収容先である前記第２主装置に転送することを特徴とする
電話システム。
【請求項２】
前記電話システムは、さらに、各前記主装置に収容される前記電話端末の内線番号と、ＬＡＮで接続されるＩＰ端末の電話番号とを異なる転送先としてレジスタテーブルに管理するＩＰ電話交換手段とを有しており、
前記内線用ゲートウェイは、
前記主装置に収容される前記電話端末から前記ＩＰ端末への第２発信信号を受信し、
前記内線用テーブルを参照して、前記第２発信信号の発番号である前記電話端末の外線番号から内線番号に変換し、発番号が変換された前記第２発信信号を前記ＩＰ電話交換手段に転送し、
前記ＩＰ電話交換手段は、
転送された前記第２発信信号の着番号を前記レジスタテーブルから検索することで、その着番号の転送先を前記ＩＰ端末のポートとして特定し、その特定したポートを介して、前記第２発信信号を前記ＩＰ端末に転送することを特徴とする
請求項１に記載の電話システム。
【請求項３】
前記電話システムは、さらに、各前記主装置に収容される前記電話端末の内線番号と、ＬＡＮで接続されるＩＰ端末の電話番号とを異なる転送先としてレジスタテーブルに管理するＩＰ電話交換手段とを有しており、
前記ＩＰ電話交換手段は、
前記ＩＰ端末から前記主装置に収容される前記電話端末への第３発信信号を受信し、
転送された前記第３発信信号の着番号を前記レジスタテーブルから検索することで、その着番号の転送先を前記内線用ゲートウェイとして特定し、その特定した前記内線用ゲートウェイに前記第３発信信号を転送し、
前記内線用ゲートウェイは、
前記内線用テーブルを参照して、転送された前記第３発信信号の着番号である前記電話端末の内線番号から外線番号に変換し、着番号が変換された前記第３発信信号を、前記電話端末の収容先である前記主装置に転送することを特徴とする
請求項１に記載の電話システム。
【請求項４】
前記ＩＰ電話交換手段は、さらに、前記主装置ごとに、その前記主装置の内線番号と、その前記主装置に収容される各前記電話端末の内線番号とをグループ化して、１つの外線番号に対応づける外線発信テーブルを有しており、
前記電話システムは、さらに、前記外線発信テーブルの外線番号が割り当てられる外線網との接続用ポートを有する外線用ゲートウェイを有しており、
前記内線用ゲートウェイは、
前記主装置に収容される前記電話端末から外線網の電話機への第４発信信号を受信し、
前記内線用テーブルを参照して、前記第４発信信号の発番号である前記電話端末の外線番号から内線番号に変換し、その変換した前記第４発信信号を前記ＩＰ電話交換手段に転送し、
前記ＩＰ電話交換手段は、
転送された前記第４発信信号の着番号が前記レジスタテーブルからは検索されなかったことで、着番号の転送先を前記外線用ゲートウェイとして特定し、
前記外線発信テーブルを参照して、前記第４発信信号の発番号である前記電話端末の内線番号から前記外線網との前記接続用ポートに割り当てられている外線番号に変換し、発番号が変換された前記第４発信信号を、前記外線用ゲートウェイの前記接続用ポートを介して、前記外線網の電話機に転送することを特徴とする
請求項２または請求項３に記載の電話システム。
【請求項５】
前記ＩＰ電話交換手段は、さらに、前記主装置の内線番号と外線番号とを対応づける外線着信テーブルを有しており、
前記レジスタテーブルは、さらに、前記主装置の内線番号を管理しており、
前記電話システムは、さらに、前記外線着信テーブルの外線番号が割り当てられる外線網との接続用ポートを有する外線用ゲートウェイを有しており、
前記ＩＰ電話交換手段は、
前記外線用ゲートウェイの前記接続用ポートを介して、外線網の電話機から前記主装置への第５発信信号を受信し、
前記外線着信テーブルを参照して、前記第５発信信号の着番号である前記接続用ポートに割り当てられている外線番号から前記主装置の内線番号に変換し、
転送された前記第５発信信号の変換された着番号を前記レジスタテーブルから検索することで、その着番号の転送先を前記内線用ゲートウェイとして特定し、特定した前記内線用ゲートウェイに前記第５発信信号を転送し、
前記内線用ゲートウェイは、
前記内線用テーブルを参照して、転送された前記第５発信信号の着番号である前記主装置の内線番号から外線番号に変換し、着番号が変換された前記第５発信信号を、前記主装置に転送することを特徴とする
請求項２または請求項３に記載の電話システム。
【請求項６】
前記内線用ゲートウェイ、前記ＩＰ電話交換手段、および、前記外線用ゲートウェイは、それぞれ別々の筐体に収容されることを特徴とする
請求項４または請求項５に記載の電話システム。
【請求項７】
前記電話システムは、さらに、前記内線用ゲートウェイに接続される各前記主装置を有しており、
各前記主装置は、前記内線用ゲートウェイから転送された前記第１発信信号の着番号のうちのサブ番号をもとに、自身に収容されている前記電話端末の集合から、呼び出す前記電話端末を特定することを特徴とする
請求項１ないし請求項５のいずれか１項に記載の電話システム。
【請求項８】
前記電話システムは、さらに、前記内線用ゲートウェイに接続される各ＴＡ（Terminal Adapter）と、その各ＴＡに接続される前記主装置とを有しており、
各前記主装置は、前記内線用ゲートウェイから転送された前記第１発信信号の着番号をもとに、自身に収容されている前記電話端末の集合から、呼び出す前記電話端末を特定することを特徴とする
請求項１ないし請求項５のいずれか１項に記載の電話システム。
【請求項９】
複数の主装置と接続されており、各前記主装置に収容される電話端末の内線番号と外線番号との対応情報を内線用テーブルに管理する内線用ゲートウェイを含めて構成される電話システムによる通信方法であって、
前記内線用ゲートウェイは、
第１主装置に収容される第１電話端末から第２主装置に収容される第２電話端末への第１発信信号を受信し、
前記内線用テーブルを参照して、前記第１発信信号の発番号である前記第１電話端末の外線番号から内線番号に変換し、
前記内線用テーブルを参照して、前記第１発信信号の着番号である前記第２電話端末の内線番号から外線番号に変換し、
発番号および着番号がそれぞれ変換された前記第１発信信号を、前記第２電話端末の収容先である前記第２主装置に転送することを特徴とする
電話システムによる通信方法。
【請求項１０】
前記電話システムは、さらに、各前記主装置に収容される前記電話端末の内線番号と、ＬＡＮで接続されるＩＰ端末の電話番号とを異なる転送先としてレジスタテーブルに管理するＩＰ電話交換手段とを有しており、
前記内線用ゲートウェイは、
前記主装置に収容される前記電話端末から前記ＩＰ端末への第２発信信号を受信し、
前記内線用テーブルを参照して、前記第２発信信号の発番号である前記電話端末の外線番号から内線番号に変換し、発番号が変換された前記第２発信信号を前記ＩＰ電話交換手段に転送し、
前記ＩＰ電話交換手段は、
転送された前記第２発信信号の着番号を前記レジスタテーブルから検索することで、その着番号の転送先を前記ＩＰ端末のポートとして特定し、その特定したポートを介して、前記第２発信信号を前記ＩＰ端末に転送することを特徴とする
請求項９に記載の電話システムによる通信方法。
【請求項１１】
前記電話システムは、さらに、各前記主装置に収容される前記電話端末の内線番号と、ＬＡＮで接続されるＩＰ端末の電話番号とを異なる転送先としてレジスタテーブルに管理するＩＰ電話交換手段とを有しており、
前記ＩＰ電話交換手段は、
前記ＩＰ端末から前記主装置に収容される前記電話端末への第３発信信号を受信し、
転送された前記第３発信信号の着番号を前記レジスタテーブルから検索することで、その着番号の転送先を前記内線用ゲートウェイとして特定し、その特定した前記内線用ゲートウェイに前記第３発信信号を転送し、
前記内線用ゲートウェイは、
前記内線用テーブルを参照して、転送された前記第３発信信号の着番号である前記電話端末の内線番号から外線番号に変換し、着番号が変換された前記第３発信信号を、前記電話端末の収容先である前記主装置に転送することを特徴とする
請求項９に記載の電話システムによる通信方法。
【請求項１２】
前記ＩＰ電話交換手段は、さらに、前記主装置ごとに、その前記主装置の内線番号と、その前記主装置に収容される各前記電話端末の内線番号とをグループ化して、１つの外線番号に対応づける外線発信テーブルを有しており、
前記電話システムは、さらに、前記外線発信テーブルの外線番号が割り当てられる外線網との接続用ポートを有する外線用ゲートウェイを有しており、
前記内線用ゲートウェイは、
前記主装置に収容される前記電話端末から外線網の電話機への第４発信信号を受信し、
前記内線用テーブルを参照して、前記第４発信信号の発番号である前記電話端末の外線番号から内線番号に変換し、その変換した前記第４発信信号を前記ＩＰ電話交換手段に転送し、
前記ＩＰ電話交換手段は、
転送された前記第４発信信号の着番号が前記レジスタテーブルからは検索されなかったことで、着番号の転送先を前記外線用ゲートウェイとして特定し、
前記外線発信テーブルを参照して、前記第４発信信号の発番号である前記電話端末の内線番号から前記外線網との前記接続用ポートに割り当てられている外線番号に変換し、発番号が変換された前記第４発信信号を、前記外線用ゲートウェイの前記接続用ポートを介して、前記外線網の電話機に転送することを特徴とする
請求項１０または請求項１１に記載の電話システムによる通信方法。
【請求項１３】
前記ＩＰ電話交換手段は、さらに、前記主装置の内線番号と外線番号とを対応づける外線着信テーブルを有しており、
前記レジスタテーブルは、さらに、前記主装置の内線番号を管理しており、
前記電話システムは、さらに、前記外線着信テーブルの外線番号が割り当てられる外線網との接続用ポートを有する外線用ゲートウェイを有しており、
前記ＩＰ電話交換手段は、
前記外線用ゲートウェイの前記接続用ポートを介して、外線網の電話機から前記主装置への第５発信信号を受信し、
前記外線着信テーブルを参照して、前記第５発信信号の着番号である前記接続用ポートに割り当てられている外線番号から前記主装置の内線番号に変換し、
転送された前記第５発信信号の変換された着番号を前記レジスタテーブルから検索することで、その着番号の転送先を前記内線用ゲートウェイとして特定し、特定した前記内線用ゲートウェイに前記第５発信信号を転送し、
前記内線用ゲートウェイは、
前記内線用テーブルを参照して、転送された前記第５発信信号の着番号である前記主装置の内線番号から外線番号に変換し、着番号が変換された前記第５発信信号を、前記主装置に転送することを特徴とする
請求項１０または請求項１１に記載の電話システムによる通信方法。
【発明の詳細な説明】
【技術分野】
【０００１】
本発明は、電話システムおよび通信方法に関する。
【背景技術】
【０００２】
公衆交換電話網（ＰＳＴＮ：Public Switched Telephone Network）やＩＳＤＮ（Integrated Services Digital Network）網などの既存の電話網を収容するＰＢＸ（Private Branch eXchange）を、ＶｏＩＰ（Voice Over Internet Protocol）技術によりＩＰ（Internet Protocol）電話に対応させる試みが、行われている。
【０００３】
特許文献１には、所定区域内に構築された内線と外部の通信ネットワークとを接続して音声による通話を行う際に、通信先の電話番号に基づいてデータベースから電話番号に対応付けられたＩＰアドレスを取得し、取得したＩＰアドレスより特定された通信先に対してパケットデータを送受信する構内回線交換機が記載されている。
特許文献２には、電話網に接続された端末からＩＰ端末に発信すると、交換機はＩＰ電話番号からゲートウェイに接続し、ゲートウェイからＳＩＰ（Session Initiation Protocol）サーバに対して、登録内容を参照させて認証させるシステムが記載されている。
【０００４】
特許文献３には、複数のローカルシステムのＩＰ−ＰＢＸ間を専用線相互接続手順にＳＩＰ技術を用いると共に、各ＩＰ−ＰＢＸに収容される内線番号が重複しないように配慮した内線番号計画を設計するシステムが記載されている。
特許文献４には、第１の電話網と第２の電話網とがゲートウェイ装置を介して接続された電話網における第２の電話網に備えられる呼制御システムにおいて、第１の電話網に接続される電話端末に対し、第２の電話網用の電話番号及び内線番号が割り当てられる旨が記載されている。
【先行技術文献】
【特許文献】
【０００５】
【特許文献１】特開２００３−１４３３２３号公報
【特許文献２】特開２００４−３３６６６３号公報
【特許文献３】特開２００８−２３６２４１号公報
【特許文献４】特開２０１０−１８３１９９号公報
【発明の概要】
【発明が解決しようとする課題】
【０００６】
ある会社内などのある管理下で運用されている内線網を、異なる管理下の網と接続して、網間通信を行いたいというニーズがある。通常は、網内で一意の内線番号ではなく、外部からの発着信が可能な外線番号を着番号として、網間通信を行う。しかし、網内通信と同様に、網間通信でも内線番号を着番号として用いることが望まれる。
【０００７】
さらに、特許文献３の技術では、ある会社のＩＰ−ＰＢＸ内に、別の会社の電話番号の情報を取り込む方式であるため、網内通信に対応したＰＢＸを、網間通信のＩＰ−ＰＢＸへと置き換える必要があり、その導入コストがかかってしまう。
【０００８】
そこで、本発明は、すでに内線網の網内通信に対応済みの電話システムを、低コストで網間通信にも対応させることを課題とする。
【課題を解決するための手段】
【０００９】
前記した課題を解決するため、本発明の電話システムは
複数の主装置と接続されており、各前記主装置に収容される電話端末の内線番号と外線番号との対応情報を内線用テーブルに管理する内線用ゲートウェイを含めて構成され、
前記内線用ゲートウェイが、
第１主装置に収容される第１電話端末から第２主装置に収容される第２電話端末への第１発信信号を受信し、
前記内線用テーブルを参照して、前記第１発信信号の発番号である前記第１電話端末の外線番号から内線番号に変換し、
前記内線用テーブルを参照して、前記第１発信信号の着番号である前記第２電話端末の内線番号から外線番号に変換し、
発番号および着番号がそれぞれ変換された前記第１発信信号を、前記第２電話端末の収容先である前記第２主装置に転送することを特徴とする。
その他の手段については、発明を実施するための形態のなかで説明する。
【発明の効果】
【００１０】
本発明によれば、すでに内線網の網内通信に対応済みの電話システムを、低コストで網間通信にも対応させることが可能となる。
【図面の簡単な説明】
【００１１】
【図１】本発明の一実施形態に関する電話システムを示す構成図である。
【図２】本発明の一実施形態に関する電話システムに記憶される各テーブルを示す構成図である。
【図３】本発明の一実施形態に関する内線の電話端末間の発信処理を示すシーケンス図である。
【図４】本発明の一実施形態に関する内線の電話端末からＬＡＮのＩＰ端末への発信処理を示すシーケンス図である。
【図５】本発明の一実施形態に関するＬＡＮのＩＰ端末から内線の電話端末への発信処理を示すシーケンス図である。
【図６】本発明の一実施形態に関する内線の電話端末からＷＡＮの電話端末への発信処理を示すシーケンス図である。
【図７】本発明の一実施形態に関するＷＡＮの電話端末から内線の電話端末への発信処理を示すシーケンス図である。
【発明を実施するための形態】
【００１２】
以降、本発明を実施するための形態を、各図を参照して詳細に説明する。
【００１３】
図１は、電話システムを示す構成図である。主装置２−１０の符号「２−１０」は、装置種別を示す「２」と、その装置の電話番号を示す「１０」とをハイフン（−）で接続したものである。以下、同様に、装置種別と電話番号とをハイフンで接続した符号を、適宜用いる。
例えば、電話端末７−１１から電話端末７−１２への発信信号には、発番号「11」と着番号「12」とが含まれる。
【００１４】
電話システムは、ＩＰ−ＰＢＸ１が、以下に示す（網１）〜（網３）の各網をそれぞれ接続するようにして構成される。
（網１：内線網）は、ＩＰ−ＰＢＸ１のＩＳＤＮ−ＧＷ（Gateway）１１と、主装置２と、ＴＡ（Terminal Adapter）３と、電話端末７とを接続する網である。この主装置２は、ＩＳＤＮ網に接続していた装置であり、その装置をそのままＩＰ−ＰＢＸ１に接続する。
（網２：ＬＡＮ：Local Area Network）は、ＩＰ−ＰＢＸ１のＰＢＸ−ＳＩＰＳＶ（Session Initiation Protocol Server）１２と、ＩＰ端末５とを接続する網である。
（網３：外線網）は、ＩＰ−ＰＢＸ１のＩＴＳＰ（Internet Telephony Service Provider）−ＧＷ１３と、ＷＡＮ（Wide Area Network）８と、電話機９とを接続する網である。
ＩＰ−ＰＢＸ１などの電話システムの各装置は、ＣＰＵ（Central Processing Unit）とメモリとハードディスク（記憶手段）とネットワークインタフェースを有するコンピュータとして構成され、このコンピュータは、ＣＰＵが、メモリ上に読み込んだプログラムを実行することにより、各処理部を動作させる。
【００１５】
（網１：内線網）について、主装置２−１０は、電話端末７−１１と電話端末７−１２とを収容する。主装置２−１０は、電話端末７−１１から電話端末７−１２への発信信号と、その逆向きである電話端末７−１２から電話端末７−１１への応答信号（ＡＣＫ）とを中継することで、電話端末７−１１と電話端末７−１２との間の通話を可能にする。同様に、主装置２−２０は、電話端末７−２１から電話端末７−２２への発信信号と、その応答信号とを中継することで、電話端末７−２１と電話端末７−２２との間の通話を可能にする。
なお、詳細は、図２のＧＷテーブル１１ａで後記するが、以下の電話番号の割り当て計画に沿って各装置に電話番号が割り当てられている。
各主装置２には、ＩＰ−ＰＢＸ１との接続に用いる外線番号（主装置２−１０なら「03110」）と、内線網内の通信に用いる内線番号（主装置２−１０なら「10」）とがそれぞれ割り当てられている。
各電話端末７には、内線番号（電話端末７−１１なら「11」）が割り当てられており、ＴＡ３を介してＩＰ−ＰＢＸ１と接続する場合には、さらに、外線番号（電話端末７−３１なら「03331」）も割り当てられている。
【００１６】
よって、同じ会社内（同じ管理体制下）などの理由により、同じ主装置２に収容される電話端末７間の通話は、ＩＰ−ＰＢＸ１を介さずに可能である。一方、電話端末７−１１と電話端末７−２１との通話など、異なる主装置２に収容される電話端末７間の通話には、ＩＰ−ＰＢＸ１を介する必要がある（詳細は、図３）。
ＩＰ−ＰＢＸ１は、複数の主装置２を集約し、ある会社が管理する主装置２−１０と、別の会社が管理する主装置２−２０とをまたがる電話端末７間の内線通話を可能にする。
【００１７】
ここで、主装置２−３０および主装置２−４０は、ＩＳＤＮ−ＧＷ１１との接続途中に、ＴＡ３を中継している。このＴＡ３は、アナログインタフェースを有する主装置２−３０および主装置２−４０を、デジタルインタフェースを有するＩＳＤＮ−ＧＷ１１に接続するためのアダプタの役割を担う。つまり、主装置２−３０とＴＡ３とはアナログ回線で接続され、ＴＡ３とＩＳＤＮ−ＧＷ１１とはＩＳＤＮ回線で接続される。一方、主装置２−１０および主装置２−２０は、それぞれデジタルインタフェースを有しているので、ＩＳＤＮ−ＧＷ１１とはＴＡ３を介さずに、直接ＩＳＤＮ回線で接続される。
なお、ＴＡ３は、ＩＰ−ＰＢＸ１とは別装置とする代わりに、ＩＰ−ＰＢＸ１がＴＡ３の機能を内蔵して、アナログインタフェースを有する主装置２−３０および主装置２−４０を、ＩＰ−ＰＢＸ１に直接接続させてもよい。
【００１８】
アナログインタフェースとは、各電話端末７を公衆交換電話網（ＰＳＴＮ）に接続するためのインタフェースである。
デジタルインタフェースとは、各電話端末７をＩＳＤＮ網に接続するためのインタフェースである。
【００１９】
（網２：ＬＡＮ）について、ＩＰ端末５は、図１に例示するように、ＶｏＩＰが可能なタブレット端末として構成される。ＩＰ端末５間の通信、および、ＩＰ−ＰＢＸ１とＩＰ端末５との間の通信は、それぞれWi-Fi（Wireless Fidelity）（登録商標）規格などの無線通信や、イーサネット（登録商標）規格などの有線通信が可能である。なお、図示を省略したが、ＩＰ−ＰＢＸ１とＩＰ端末５との間に無線ルータなどの中継装置を設けてもよい。
【００２０】
なお、ＩＰ端末５は、図１では、端末Ｌ５−５０、端末Ｌ５−５１および端末Ｌ５−５２を例示する。このうち、端末Ｌ５−５０は、受付用の端末（以下、受付端末）である。受付端末Ｌ５−５０は、例えば、企業の受付などに設置され、受付係などのユーザによって操作される。そして、受付端末Ｌ５−５０は、受付係が来客を受け付けたときに、その来客に用事のある社員が操作する社員端末Ｌ５−５１や社員端末Ｌ５−５２を呼び出す用途などで使用される。なお、「受付」や「社員」などの名称は、説明をわかりやすくするために例示したものであり、各端末のユーザをこれらの者に限定するものではない。
図１の電話システムでは、複数の（網１：内線網）を収容する場合でも、１つの受付端末Ｌ５−５０を用意することで、統合的な受付電話が設置できる。よって、複数の企業の受付業務を一箇所に集約することで、コストを削減できる。
ここで、受付端末Ｌ５−５０は、例えば、受付電話用のＩＰ電話機として実装してもよいし、端末Ｌ５−５１と同じように、受付用のタブレット端末とし、そのタブレット端末内に配備されるＩＰ電話アプリとして実装してもよい。
また、受付端末Ｌ５−５０は、受付業務の都合上、発信専用の端末とすることが望ましい。
【００２１】
（網３：外線網）について、ＷＡＮ８は、例えばインターネットと接続する電話網であり、電話機９は、ＷＡＮ８に接続されている。電話端末７と電話機９との主な違いは、割り当てられている電話番号が、電話端末７の内線番号か、電話機９の外線番号かの違いである。
そして、図２で後記するように、ＩＰ−ＰＢＸ１は、接続される（網１）と（網２）に収容される各端末（主装置２、ＩＰ端末５）の電話番号を管理するが、接続される（網３）に収容される電話機９の電話番号を管理しない。これにより、ＩＰ−ＰＢＸ１が担当する範囲（収容する端末の台数）を少なくすることで、ＩＰ−ＰＢＸ１の負荷を削減することができる。
【００２２】
なお、ＩＰ−ＰＢＸ１の各処理部は、それぞれ外部との通信インタフェースであるポートを１つ以上備えている。
ＩＳＤＮ−ＧＷ１１のポートＬ１は、ＩＰ−ＰＢＸ１の装置内通信（ＰＢＸ−ＳＩＰＳＶ１２との通信、ＩＴＳＰ−ＧＷ１３との通信）に使用される。
ＰＢＸ−ＳＩＰＳＶ１２の内部ポートＬ２は、ＩＰ−ＰＢＸ１の装置内通信（ＩＳＤＮ−ＧＷ１１との通信、ＩＴＳＰ−ＧＷ１３との通信）に使用される。さらに、ＰＢＸ−ＳＩＰＳＶ１２は、（網２：ＬＡＮ）の各ＩＰ端末５と通信するための外部ポートを有する。
ＩＴＳＰ−ＧＷ１３のポートＷ１は、ＷＡＮ８と接続されており、電話機９との間の通信に使用される。
ＩＴＳＰ−ＧＷ１３のポートＬ３は、ＩＰ−ＰＢＸ１の装置内通信（ＩＳＤＮ−ＧＷ１１との通信、ＰＢＸ−ＳＩＰＳＶ１２との通信）に使用される。
また、図１では、１台のＩＰ−ＰＢＸ１の装置内部に３つの処理部（ＩＳＤＮ−ＧＷ１１、ＰＢＸ−ＳＩＰＳＶ１２、ＩＴＳＰ−ＧＷ１３）を備える構成を例示したが、３つの処理部をそれぞれ別の装置として構成してもよい（つまり、互いに接続される３台の装置がＩＰ−ＰＢＸ１の役割を担う）。
【００２３】
図２は、電話システムに記憶される各テーブルを示す構成図である。
ＩＳＤＮ−ＧＷ１１に記憶されるＧＷテーブル１１ａは、ＩＰ−ＰＢＸ１が収容する（網１：内線網）の各電話端末７の電話番号を管理するテーブルである。このＧＷテーブル１１ａは、各主装置２または各電話端末７に割り当てられている内線番号と、その内線番号に対してＩＳＤＮ−ＧＷ１１からアクセスするときの外線番号との対応表である。
例えば、発番号「03110*11」の発信信号を受信したＩＳＤＮ−ＧＷ１１は、ＧＷテーブル１１ａを参照して、発番号を対応する内線番号「11」に変換する。
また、着番号「21」のSIP INVITEを受信したＩＳＤＮ−ＧＷ１１は、ＧＷテーブル１１ａを参照して、着番号を対応する「03220*21」に変換する。
【００２４】
内線番号「１０」などの一桁目が「０」の番号は、その内線番号の主装置２が収容する各電話端末７への一斉呼出に使われる番号である。例えば、着番号「１０」の発信信号を受信した主装置２−１０は、自身が収容する電話端末７−１１と電話端末７−１２とを一斉呼出を実施する。そして、電話端末７−１１が着信（オフフック）したときには、主装置２−１０は、残りの電話端末７−１２への呼び出しを中止する。
内線番号「１１」などの一桁目が「０」ではない番号は、その内線番号の電話端末７への単体呼出に使われる番号である。
【００２５】
なお、外線番号「03110*11」とは、主装置２のメイン番号「03110」と、その主装置２に収容される電話端末７のサブ番号「11」との組み合わせである。このように、サブ番号を含む外線番号は、主装置２−１０および主装置２−２０などのＩＰ−ＰＢＸ１とのＩＳＤＮ回線での直接接続が可能な主装置２に収容される電話端末７に割り当てられている。
一方、外線番号「03331」とは、電話端末７−３１を一意に特定する番号（アナログダイヤルイン）である。このように、サブ番号を含まない外線番号は、主装置２−３０および主装置２−４０などのＴＡ３を介してＩＰ−ＰＢＸ１との接続を行う主装置２に収容される電話端末７に割り当てられている。
【００２６】
ＰＢＸ−ＳＩＰＳＶ１２に記憶されるレジスタテーブル１２ａは、ＩＰ−ＰＢＸ１が収容する（網１：内線網）の各電話端末７の電話番号を、転送先となるポート（LAN-IP）に対応づけるテーブルである。また、レジスタテーブル１２ａは、（網２：ＬＡＮ）の各ＩＰ端末５の電話番号と、そのＩＰ端末５が有するポートのＩＰアドレスとを対応づけるテーブルである。
ＰＢＸ−ＳＩＰＳＶ１２は、ＩＳＤＮ−ＧＷ１１からＧＷテーブル１１ａの各エントリについての登録要求（SIP Register信号）を受け、要求された各内線番号と、要求元のＩＳＤＮ−ＧＷ１１のポートＬ１とを対応づけてＧＷテーブル１１ａに書き出す。
【００２７】
ＰＢＸ−ＳＩＰＳＶ１２は、各ＩＰ端末５から自身のエントリについての登録要求を受け、要求されたＩＰ端末５の番号と、要求元のＩＰ端末５が有するポートのＩＰアドレス（Ｌ５−５０，Ｌ５−５１，Ｌ５−５２）とを対応づけてレジスタテーブル１２ａに書き出す。なお、書き出すＬＡＮ−ＩＰとして、要求元のＩＰ端末５のＩＰアドレスの代わりに、ＩＰ端末５に向かう中継装置のＩＰアドレスでもよい。
さらに、レジスタテーブル１２ａは、（網３：外線網）に転送するためのエントリとして、登録済みのレジスタテーブル１２ａのどのエントリにも該当しない場合（電話番号＝その他）、ＩＴＳＰ−ＧＷ１３のポートＬ３をＬＡＮ−ＩＰとする。
【００２８】
ＰＢＸ−ＳＩＰＳＶ１２に記憶される外線発信テーブル１３ａは、各主装置２、各電話端末７、および、各ＩＰ端末５の電話番号（内線番号）と、その内線番号に対してＷＡＮ８からアクセスするときのポートＷ１に割り当てられる外線番号との対応表である。
例えば、発番号「11」の発信信号を受信したＩＴＳＰ−ＧＷ１３は、外線発信テーブル１３ａを参照して、発番号を「03110」へと書き換えてから、ＷＡＮ８に向けて転送する。
【００２９】
ＰＢＸ−ＳＩＰＳＶ１２に記憶される外線着信テーブル１３ｂは、ＷＡＮ８からポートＷ１にアクセスするときのポートＷ１に割り当てられる外線番号と、その外線番号を着番号とする発信信号をＩＴＳＰ−ＧＷ１３が受けたときに、その発信信号の転送先である主装置２の内線番号との対応表である。
例えば、着番号「03220」の発信信号を受信したＩＴＳＰ−ＧＷ１３は、外線着信テーブル１３ｂを参照して、着番号を「20」へと書き換えてから、主装置２−２０に向けて転送する。
また、着番号「03550」の発信信号を受信したＩＴＳＰ−ＧＷ１３は、外線着信テーブル１３ｂを参照して、受信した発信信号の着番号を「51」へと書き換えた第１発信信号と、受信した発信信号の着番号を「52」へと書き換えた第２発信信号とをそれぞれ作成し、それらを該当するＩＰ端末５に向けて転送する。
なお、着番号「50」は、受付端末であり、通常は着信処理が不要であるので、受信した発信信号の着番号を「50」へと書き換えた第３発信信号の作成を省略してもよいし、省略せずに作成して転送してもよい。
【００３０】
外線発信テーブル１３ａおよび外線着信テーブル１３ｂは、それぞれ１つの外線番号に対して１つの会社単位の内線番号（または内線番号のグループ）を対応づけることで、異なる会社間の混線の発生を抑制することができる。
つまり、１台のＩＰ−ＰＢＸ１（１つのポートＷ１）に、複数の（主装置２ごとの）外線番号を割り当てることで、ＩＰ−ＰＢＸ１が論理的に分割され、あたかも複数の（会社ごとの）ＩＰ−ＰＢＸ１が存在するかのように、ＷＡＮ８からアクセスさせることができる。
【００３１】
以下、図３以降の各シーケンス図を参照して、ＩＰ−ＰＢＸ１などの電話システムの動作を明らかにする。
図３は、（網１：内線網）→（網１：内線網）の第１発信信号の発信処理を示す。
図４は、（網１：内線網）→（網２：ＬＡＮ）の第２発信信号の発信処理を示す。
図５は、（網２：ＬＡＮ）→（網１：内線網）の第３発信信号の発信処理を示す。
図６は、（網１：内線網）→（網３：外線網）の第４発信信号の発信処理を示す。
図７は、（網３：外線網）→（網１：内線網）の第５発信信号の発信処理を示す。
なお、各シーケンス図において、以下の表記を用いる。
電話の発信信号（アナログ信号またはＩＳＤＮ信号）の通信には、実線の矢印を用いる。SIP INVITEの通信には、破線の矢印を用いる。
発信信号に含まれる発番号（From）と着番号（To）との組み合わせを、「From→To」形式で表記する。「発信信号（11→03220*21）」とは、発番号（From）が「11」であり着番号（To）が「03220*21」である電話の発信信号を示す。同様に、「SIP INVITE（11→21）」とは、発番号（From）が「11」であり着番号（To）が「21」であるSIP INVITEを示す。
【００３２】
図３は、内線の電話端末間（電話端末７−１１→電話端末７−２１）の発信処理を示すシーケンス図である。
Ｓ１０１として、電話端末７−１１は、受話器がオフフックされ、着番号が入力されるなどの発信者の操作により、発信要求を受け付ける。ここでは、着番号（To）に電話端末７−２１の内線番号「21」が指定される。
Ｓ１０２として、電話端末７−１１は、Ｓ１０１で受け付けた着番号（To）を付した発信信号（→21）を、収容先の主装置２−１０に送信する。
Ｓ１０３として、主装置２−１０は、電話端末７−１１と接続するポートからＳ１０２の発信信号を受け付けると、発信信号の発番号（From）を電話端末７−１１の番号であると特定する。そして、電話端末７−１１の外線番号である「03110*11」を発信信号の発番号（From）として付加する。
【００３３】
Ｓ１０４として、主装置２−１０は、電話端末７−２１の内線番号「21」を自身が収容していないので、Ｓ１０３の発信信号（03110*11→21）をＩＳＤＮ−ＧＷ１１に送信する。
Ｓ１０５として、ＩＳＤＮ−ＧＷ１１は、ＧＷテーブル１１ａを参照して、Ｓ１０４の発信信号に付された発番号（From）の外線番号「03110*11」を、対応する内線番号「11」に変換する。
Ｓ１０６として、ＩＳＤＮ−ＧＷ１１は、Ｓ１０５の発信信号（11→21）をSIP INVITE（11→21）に変換し、そのSIP INVITEをＰＢＸ−ＳＩＰＳＶ１２に送信する。
【００３４】
Ｓ１０７として、ＰＢＸ−ＳＩＰＳＶ１２は、レジスタテーブル１２ａを参照して、Ｓ１０６のSIP INVITE（11→21）の（To:21）から、転送先のLAN-IPとしてＩＳＤＮ−ＧＷ１１のポートＬ１のアドレスを検索する。
Ｓ１０８として、ＰＢＸ−ＳＩＰＳＶ１２は、Ｓ１０７のSIP INVITE（11→21）を、検索されたＩＳＤＮ−ＧＷ１１に送信する。
Ｓ１０９として、ＩＳＤＮ−ＧＷ１１は、Ｓ１０８のSIP INVITE（11→21）について、ＧＷテーブル１１ａを参照して、着番号（To）を「21」から「03220*21」に変換する。
【００３５】
Ｓ１１１として、ＩＳＤＮ−ＧＷ１１は、Ｓ１０９のSIP INVITE（11→03220*21）を電話の発信信号に変換し、その変換した電話の発信信号を主装置２−２０（番号03220に対応する主装置２）に送信する。
Ｓ１１２として、主装置２−２０は、Ｓ１１１の着番号（To）のサブ番号「21」から、電話端末７−２１への単体呼出であることを認識し、その電話端末７−２１に接続されているポートを特定する。
一方、図３の例とは異なるが、主装置２−３０に収容される電話端末７−３１への発信信号には、サブ番号が付されていない。このような場合、ＧＷテーブル１１ａに記載されているように、受信した発信信号の外線番号（03331）から、対応する内線番号（31）を一意に特定すればよい。
【００３６】
Ｓ１１３として、主装置２−２０は、Ｓ１１２の発信信号（11→21）を、特定したポートを介して電話端末７−２１に送信する。
Ｓ１１４として、電話端末７−２１は、Ｓ１１３の発信信号を受信すると、着信音を鳴動させる。着信者が電話端末７−２１をオフフックすると、電話端末７−１２→電話端末７−１１に対して発信信号に対する応答信号が返信されることで、異なる主装置２に収容された電話端末７間で内線通話ができる。ここで、電話端末７−２１は、Ｓ１１３の発信信号（11→21）の発番号「11」（または、発番号「11」を収容する主装置２−１０の内線番号「10」）を、自身の液晶ディスプレイなどの表示部に表示することで（発番号表示処理）、着信者に誰からの着信かを知らせることができる。
【００３７】
図４は、内線の電話端末からＬＡＮのＩＰ端末への発信処理を示すシーケンス図である。
まず、前半の発信側の処理（電話端末７−１１→主装置２−１０→ＩＳＤＮ−ＧＷ１１→ＰＢＸ−ＳＩＰＳＶ１２）であるＳ２０１〜Ｓ２０６は、それぞれ図３のＳ１０１〜Ｓ１０６と同じ処理内容であり、着番号（To）を図３の「21」から図４の「51」へと読み替えればよい。
【００３８】
Ｓ２０７として、ＰＢＸ−ＳＩＰＳＶ１２は、レジスタテーブル１２ａを参照して、Ｓ２０６のSIP INVITE（11→51）の（To:51）から、転送先のLAN-IPとして（網２：ＬＡＮ）に向かうＩＰ端末５−５１のアドレス（Ｌ５−５１）を検索する。
Ｓ２１１として、ＰＢＸ−ＳＩＰＳＶ１２は、Ｓ２０７のSIP INVITE（11→51）を、検索されたポートＬ５−５１を介して、ＩＰ端末５−５１に送信する。
Ｓ２１２として、ＩＰ端末５−５１は、Ｓ２１１のSIP INVITEを受信すると、着信音を鳴動させる。Ｓ１１４と同様に、着信者のオフフックと応答信号の返信により、電話端末７−１１とＩＰ端末５−５１との間で内線通話可能となる。ここで、ＩＰ端末５−５１は、Ｓ１１４と同様に発番号「11」の表示処理を行ってもよい。
【００３９】
図５は、ＬＡＮのＩＰ端末から内線の電話端末への発信処理を示すシーケンス図である。
Ｓ２３１として、ＩＰ端末５−５１は、通話アプリを起動する操作と、アドレス帳から着信者を選択する操作などの発信者の操作により、発信要求を受け付ける。ここでは、着番号（To）に電話端末７−１１の内線番号「11」が指定される。
Ｓ２３２として、ＩＰ端末５−５１は、Ｓ２３１のＩＰ端末５−５１を示す発番号（From）と、Ｓ２３１で指定された着番号（To）とを含むSIP INVITE（51→11）を、収容先であるＩＰ−ＰＢＸ１のＰＢＸ−ＳＩＰＳＶ１２に送信する。
【００４０】
Ｓ２３３として、Ｓ１０７と同様に、ＰＢＸ−ＳＩＰＳＶ１２は、レジスタテーブル１２ａを参照して、Ｓ２３２のSIP INVITE（51→11）の（To:11）から、転送先のLAN-IPとしてＩＳＤＮ−ＧＷ１１のポートＬ１のアドレスを検索する。
Ｓ２３４として、Ｓ１０８と同様に、ＰＢＸ−ＳＩＰＳＶ１２は、Ｓ２３３のSIP INVITE（51→11）を、検索されたＩＳＤＮ−ＧＷ１１に送信する。
Ｓ２３５として、Ｓ１０９と同様に、ＩＳＤＮ−ＧＷ１１は、Ｓ１０８のSIP INVITE（51→11）について、ＧＷテーブル１１ａを参照して、着番号（To）を「11」から「03110*11」に変換する。
後半の発信側の処理（ＩＳＤＮ−ＧＷ１１→主装置２−１０→電話端末７−１１）であるＳ２４１〜Ｓ２４４は、それぞれ図３のＳ１１１〜Ｓ１１４と同じ処理内容であり、（From→To）である図４の（11→21）を図５の（51→11）へと読み替えればよい。
【００４１】
また、受付端末Ｌ５−５０から社員端末Ｌ５−５１への発信処理は、以下の（手順１）〜（手順５）のように処理される。
（手順１）受付端末Ｌ５−５０は、Ｓ２３１と同様に、着番号（To）に社員端末Ｌ５−５１の内線番号「51」が指定された発信要求を受け付ける。
（手順２）受付端末Ｌ５−５０は、Ｓ２３２と同様に、受付端末Ｌ５−５０を示す発番号（From）と、（手順１）で指定された着番号（To）とを含むSIP INVITE（50→51）を、収容先であるＩＰ−ＰＢＸ１のＰＢＸ−ＳＩＰＳＶ１２に送信する。
（手順３）ＰＢＸ−ＳＩＰＳＶ１２は、Ｓ２３３と同様に、レジスタテーブル１２ａを参照して、（手順２）の（To:51）から、転送先のLAN-IPとして社員端末Ｌ５−５１のポートL5-51のアドレスを検索する。
（手順４）ＰＢＸ−ＳＩＰＳＶ１２は、（手順３）で検索したポートL5-51に対して、（手順２）で受信したSIP INVITE（50→51）を転送する。
（手順５）社員端末Ｌ５−５１は、Ｓ２４４と同様に、（手順４）で転送されたSIP INVITE（50→51）をもとに、着信音を鳴動する。
【００４２】
以上、図３〜図５を参照して、ＩＰ−ＰＢＸ１が収容する端末（ＩＰ端末５、電話端末７）どうしの発信処理を説明した。これらの収容する端末間の発信処理には、外線発信手段（ＩＴＳＰ−ＧＷ１３、外線発信テーブル１３ａ、外線着信テーブル１３ｂ）は使用されないので、外線発信を用いないのであれば、ＩＰ−ＰＢＸ１から外線発信手段を省略してもよい。
【００４３】
図６は、内線の電話端末からＷＡＮの電話端末への発信処理を示すシーケンス図である。
まず、前半の発信側の処理（電話端末７−１１→主装置２−１０→ＩＳＤＮ−ＧＷ１１→ＰＢＸ−ＳＩＰＳＶ１２）であるＳ３０１〜Ｓ３０６は、それぞれ図３のＳ１０１〜Ｓ１０６と同じ処理内容であり、着番号（To）を図３の「21」から図４の「91」へと読み替えればよい。
【００４４】
Ｓ３０７として、ＰＢＸ−ＳＩＰＳＶ１２は、レジスタテーブル１２ａを参照して、Ｓ３０６のSIP INVITE（11→91）の（To:91）の電話番号を検索する。しかし、レジスタテーブル１２ａの電話番号（10,11,12,…,51,52）のいずれにも該当しないので（換言すると、ＩＰ−ＰＢＸ１が収容しない端末の電話番号であるので）、「その他」の転送先のLAN-IPとしてＩＴＳＰ−ＧＷ１３のポートＬ３のアドレスを検索する。
Ｓ３０８として、ＰＢＸ−ＳＩＰＳＶ１２は、外線発信テーブル１３ａを参照して、Ｓ３０６のSIP INVITEの発番号（From）を内線番号「11」から外線番号「03110」に変換する。
【００４５】
Ｓ３１１として、ＰＢＸ−ＳＩＰＳＶ１２は、Ｓ３０８のSIP INVITE（03110→91）を、Ｓ３０７で検索されたＩＴＳＰ−ＧＷ１３に送信する。
Ｓ３１２として、ＩＴＳＰ−ＧＷ１３は、Ｓ３１１の着番号（To）の電話機９−９１が契約しているキャリア（通信事業者）のルールごとの形式に対応する。形式に対応とは、例えば、キャリアが指定したプロトコルやアドレス体系を用いることである。
【００４６】
Ｓ３１３として、ＩＴＳＰ−ＧＷ１３は、Ｓ３１２のSIP INVITE（03110→91）を、ＷＡＮ８を経由して電話機９−９１に送信する。
Ｓ３１４として、電話機９−９１は、Ｓ３１３のSIP INVITEを受信すると、着信音を鳴動させる。Ｓ１１４と同様に、着信者のオフフックと応答信号の返信により、電話端末７−１１と電話機９−９１との間で通話可能となる。なお、電話機９−９１は、Ｓ１１４と同様に発番号「03110」の表示処理を行ってもよい。
ここで、電話機９が１つのキャリアしか扱わない場合や、複数のキャリアが同じルールを用いる場合には、ＩＴＳＰ−ＧＷ１３を省略し、ＰＢＸ−ＳＩＰＳＶ１２からＷＡＮ８を経由して電話機９−９１に直接Ｓ３０８のSIP INVITE（03110→91）を送信してもよい（つまり、Ｓ３１１〜Ｓ３１３を、１回の送信に置き換える）。
【００４７】
図７は、ＷＡＮの電話端末から内線の電話端末への発信処理を示すシーケンス図である。
Ｓ３３１として、電話機９−９１は、受話器がオフフックされ、着番号が入力されるなどの発信者の操作により、発信要求を受け付ける。ここでは、主装置２−１０に収容される各電話端末７への一斉呼出をするために、ポートＷ１に割り当てられている外線番号「03110」が、着番号（To）として指定される。
Ｓ３３２として、電話機９−９１は、Ｓ３３１の電話機９−９１を示す発番号（From）と、Ｓ３３１で指定された着番号（To）とを含むSIP INVITE（91→03110）を、ポートＷ１を有するＩＴＳＰ−ＧＷ１３に送信する。
【００４８】
Ｓ３３３として、ＩＴＳＰ−ＧＷ１３は、Ｓ３１２と同様に、Ｓ３３２のSIP INVITE（91→03110）に対して、キャリアルールごとの形式対応を行う。
Ｓ３３４として、ＩＴＳＰ−ＧＷ１３は、Ｓ３３３のSIP INVITE（91→03110）をＰＢＸ−ＳＩＰＳＶ１２に送信する。
Ｓ３３５として、ＰＢＸ−ＳＩＰＳＶ１２は、外線着信テーブル１３ｂを参照して、Ｓ３３４のSIP INVITEの着番号（To）を、外線番号「03110」から内線番号「10」に変換することで、SIP INVITE（91→10）とする。
【００４９】
以下、後半の発信側の処理（ＰＢＸ−ＳＩＰＳＶ１２→ＩＴＳＰ−ＧＷ１３→主装置２−１０→電話端末７−１１）であるＳ３３６〜Ｓ３４４ａ，Ｓ３４４ｂは、それぞれ図３のＳ１０７〜Ｓ１１４とほぼ同じ処理内容であり、（From→To）である図４の（11→21）を図５の（91→10）へと読み替えればよい。
ここで、Ｓ１１２では、電話端末７−２１（To:21）への単体呼出であるのに対し、Ｓ３４２〜Ｓ３４４ａ，Ｓ３４４ｂでは、主装置２−１０（To:03110）を介した、電話端末７−１１および電話端末７−１２に対する一斉呼出（着信音の鳴動）である点が異なる。主装置２−１０は、着番号（To）が自身を示す「03110」であるときには、自身が収容する各電話端末７に対して一斉呼出する。
【００５０】
以上説明した本実施形態では、ＩＰ−ＰＢＸ１が内線網、ＬＡＮ、外線網という３種類のネットワークを中継することで、以下の効果を得ることができる。
内線網間の発信処理（図３）では、各電話端末７を収容する既存の主装置２に対して他の主装置２が管理する情報を持たせない形で（つまり、既存の主装置２をそのまま活用して）、異なる主装置２間の発信処理を内線番号の指定だけで（外線番号をダイヤルさせずに）実現することができる。
よって、既存の主装置２を置き換えるコストを負担することなく、容易に異なる会社間（異なる管理体制下どうし）の内線電話を実現することができる。
【００５１】
内線網とＬＡＮとの間の発信処理（図４，図５）では、ＰＢＸ−ＳＩＰＳＶ１２がレジスタテーブル１２ａを参照して、SIP INVITEの転送先を内線網かＬＡＮかを決定する。これにより、SIPサーバという標準の実装をそのまま活用して内線網とＬＡＮとをまたいだ発信処理ができるので、２種類の網で別々の通信プロトコルを用いるよりも、低コストに網間通信を実現することができる。
【００５２】
さらに、ＰＢＸ−ＳＩＰＳＶ１２のレジスタテーブル１２ａに対して電話端末７のエントリと、ＩＰ端末５のエントリとをともに登録させた後、内線網間の発信処理にも、内線網とＬＡＮとの間の発信処理にも、同じＰＢＸ−ＳＩＰＳＶ１２を経由させる。これにより、ＩＰ−ＰＢＸ１が収容する端末のエントリを管理するときに、統合化したレジスタテーブル１２ａを扱えばよいので、管理コストを削減できる。
よって、ＩＰ−ＰＢＸ１は、ＩＰ化されていない（網１：内線網）の既存設備をそのまま活用しつつ、ＩＰ化されている（網２：ＬＡＮ）と接続できるように中継するので、ＩＰ網の段階的導入ができる。
【００５３】
内線網と外線網との間の発信処理（図６，図７）では、ＷＡＮ８を介する電話機９との通信の窓口として、新たにＩＴＳＰ−ＧＷ１３を設ける。このＩＴＳＰ−ＧＷ１３のポートＷ１には、外線発信テーブル１３ａや外線着信テーブル１３ｂが示すように、会社ごとの外線番号が割り当てられているので、ある会社へのアクセスが、別の会社へのアクセスと混線することを防ぐことができ、ＩＰ−ＰＢＸ１の設置台数も削減できる。
よって、ＩＰ−ＰＢＸ１は、ＩＰ化されていない（網１：内線網）の既存設備をそのまま活用しつつ、ＩＰ化されているＷＡＮ８と接続できるように中継するので、端末間の通話コストを削減できる。
【符号の説明】
【００５４】
１      ＩＰ−ＰＢＸ
１１    ＩＳＤＮ−ＧＷ（内線用ゲートウェイ）
１１ａ  ＧＷテーブル（内線用テーブル）
１２    ＰＢＸ−ＳＩＰＳＶ（ＩＰ電話交換手段）
１２ａ  レジスタテーブル
１３    ＩＴＳＰ−ＧＷ（外線用ゲートウェイ）
１３ａ  外線発信テーブル
１３ｂ  外線着信テーブル
２      主装置
３      ＴＡ
５      ＩＰ端末
７      電話端末
８      ＷＡＮ
９      電話機
【図１】
2016086361.tif 000003
【図２】
2016086361.tif 000004
【図３】
2016086361.tif 000005
【図４】
2016086361.tif 000006
【図５】
2016086361.tif 000007
【図６】
2016086361.tif 000008
【図７】
2016086361.tif 000009